(57)【要約】      （修正有）【課題】レール表面に付着している氷だけでなく、レール間やレールの外側等の軌道上および踏切上、さらにはそれら周辺の氷も削氷するバックホー用削氷機を提供する。【解決手段】バックホー用削氷機１は、軌陸両用バックホー２の前方に連結され、エンジンまたはモーター等の原動機が搭載された削氷機本体と、削氷機本体に設けられ、原動機の回転が伝達するように構成されていると共に、原動機の回転によって複数の削氷爪を駆動して軌道上および踏切上またはそれら周辺の氷に当てて削氷する削氷爪駆動機構部とを有し、削氷爪駆動機構部の平面視の大きさは、少なくとも削氷爪駆動機構部がレールＲ間の氷を削氷することができるようにレール間に収まる大きさである。【選択図】図６
0003212901.tif 000002
【実用新案登録請求の範囲】
【請求項１】
バックホーのアーム先端に連結され、複数の削氷爪を駆動して軌道上および踏切上またはそれら周辺の氷に当てて削氷することを特徴とするバックホー用削氷機。
【請求項２】
請求項１に記載のバックホー用削氷機において、
前記バックホーの前方に連結され、エンジンまたはモーター等の原動機が搭載された削氷機本体と、
前記削氷機本体に設けられ、前記原動機の回転が伝達するように構成されていると共に、前記原動機の回転によって前記複数の削氷爪を駆動して軌道上および踏切上またはそれら周辺の氷に当てて削氷する削氷爪駆動機構部とを有し、
当該削氷爪駆動機構部の平面視の大きさは、少なくとも当該削氷爪駆動機構部がレール間の氷を削氷することができるようにレール間に収まる大きさであることを特徴とするバックホー用削氷機。
【請求項３】
請求項２に記載のバックホー用削氷機において、
前記削氷爪駆動機構部は、
前記原動機の回転が伝達される駆動歯車と、
その駆動歯車と離されて設置された従動歯車と、
所定間隔毎に設けられた前記複数の削氷爪がエンドレスに駆動するように前記駆動歯車と従動歯車との間に掛け渡された削氷爪保持チェーンベルトと、
前記駆動歯車と前記従動歯車との間の間隔を変えて前記削氷爪保持チェーンベルトのテンションを調整するベルトテンション調整部とを有することを特徴とするバックホー用削氷機。
【請求項４】
請求項２または請求項３に記載のバックホー用削氷機において、
前記削氷爪駆動機構部の底面には、
前記原動機の回転によって駆動する前記複数の削氷爪がレール表面や路面に接触せず、かつ、レールに導通しないように絶縁体が設けられていることを特徴とするバックホー用削氷機。
【請求項５】
請求項２〜請求項４のいずれか一の請求項に記載のバックホー用削氷機において、
前記削氷機本体は、
前記バックホーのアーム先端が連結されるバックホー側連結機構部と、
前記削氷爪駆動機構部を支持する削氷爪駆動機構支持部と、
前記バックホー側連結機構部と前記削氷爪駆動機構支持部との間に設けられ、前記バックホー側連結機構部に対して前記削氷爪駆動機構支持部および削氷爪駆動機構部全体を回動させる回動機構部とを備えることを特徴とするバックホー用削氷機。
【考案の詳細な説明】
【技術分野】
【０００１】
本考案は、軌道上および踏切上またはそれら周辺の氷を削氷するバックホー用削氷機に関する。
【背景技術】
【０００２】
従来より、レール上を走行するバックホーのアーム先端に着脱可能に連結して軌道上の雪を除雪する除雪機は提案されている（例えば、特許文献１，２参照。）。
【０００３】
特に、特許文献２の軌陸両用除雪車には、除雪装置とは別の誘導装置に、ブラケットを介してレール表面に付着している雪氷を削り落とすための削氷板を設ける構成が開示されている。
【先行技術文献】
【特許文献】
【０００４】
【特許文献１】特開２０１６―４７９８９号公報
【特許文献２】特開２０１７―１４７５５号公報
【考案の概要】
【考案が解決しようとする課題】
【０００５】
しかし、上述の特許文献１に記載の除雪機は、軌道上の雪を除雪する機械であり、軌道上で雪が固まった雪氷や氷は除去できないでいた。
【０００６】
また、上述の特許文献２に記載の軌陸両用除雪車の削氷板であっても、レール表面に付着している雪氷を削り落とすることは可能であるかも知れないが、ブラケットに固定されており、あくまでレール表面に付着している雪氷を削り落とすための削氷板であるため、レール間やレールの外側等の軌道上や踏切上、さらにはそれら周辺の氷は除去できないという問題がある。
【０００７】
そこで、本考案はこのような問題点に着目してなされたもので、レール表面に付着している氷だけでなく、レール間やレールの外側等の軌道上および踏切上、さらにはそれら周辺の氷も削氷することができるバックホー用削氷機を提供することを目的とする。
【課題を解決するための手段】
【０００８】
前記課題を解決するため、本考案に係るバックホー用削氷機は、バックホーのアーム先端に連結され、複数の削氷爪を駆動して軌道上および踏切上またはそれら周辺の氷に当てて削氷することを特徴とする。
ここで、本考案に係るバックホー用削氷機は、前記バックホーの前方に連結され、エンジンまたはモーター等の原動機が搭載された削氷機本体と、前記削氷機本体に設けられ、前記原動機の回転が伝達するように構成されていると共に、前記原動機の回転によって前記複数の削氷爪を駆動して軌道上および踏切上またはそれら周辺の氷に当てて削氷する削氷爪駆動機構部とを有し、当該削氷爪駆動機構部の平面視の大きさは、少なくとも当該削氷爪駆動機構部がレール間の氷を削氷することができるようにレール間に収まる大きさであると良い。
また、前記削氷爪駆動機構部は、前記原動機の回転が伝達される駆動歯車と、その駆動歯車と離されて設置された従動歯車と、所定間隔毎に設けられた前記複数の削氷爪がエンドレスに駆動するように前記駆動歯車と従動歯車との間に掛け渡された削氷爪保持チェーンベルトと、前記駆動歯車と前記従動歯車との間の間隔を変えて前記削氷爪保持チェーンベルトのテンションを調整するベルトテンション調整部とを有すると更に良い。
また、前記削氷爪駆動機構部の底面には、前記原動機の回転によって駆動する前記複数の削氷爪がレール表面や路面に接触せず、かつ、レールに導通しないように絶縁体が設けられていると更に良い。
また、前記削氷機本体は、前記バックホーのアーム先端が連結されるバックホー側連結機構部と、前記削氷爪駆動機構部を支持する削氷爪駆動機構支持部と、前記バックホー側連結機構部と前記削氷爪駆動機構支持部との間に設けられ、前記バックホー側連結機構部に対して前記削氷爪駆動機構支持部および削氷爪駆動機構部全体を回動させる回動機構部とを備えるように構成すると更に良い。
【考案の効果】
【０００９】
本考案に係るバックホー用削氷機は、バックホーのアーム先端に連結され、複数の削氷爪を駆動して軌道上および踏切上またはそれら周辺の氷に当てて削氷するため、レール表面に付着している氷だけでなく、レール間やレールの外側等の軌道上および踏切上、さらにはそれら周辺の氷も削氷することできる。
【図面の簡単な説明】
【００１０】
【図１】本考案に係る実施形態１のバックホー用削氷機を軌陸両用バックホーに連結した状態を示す側面図である。
【図２】本考案に係る実施形態１のバックホー用削氷機を軌陸両用バックホーに連結した状態を示す平面図である。
【図３】本考案に係る実施形態１のバックホー用削氷機の側面図である。
【図４】本考案に係る実施形態１のバックホー用削氷機の平面図である。
【図５】本考案に係る実施形態１のバックホー用削氷機の正面図である。
【図６】軌陸両用バックホーに連結した実施形態１のバックホー用削氷機によって軌道上の氷を削氷している状態を示す平面図である。
【図７】軌陸両用バックホーに連結した実施形態１のバックホー用削氷機によって軌道上であって例えば踏切の傾斜面の氷を削氷している状態を示す正面図である。
【図８】本考案に係る実施形態２のバックホー用削氷機を軌陸両用バックホーに連結した状態を示す側面図である。
【図９】本考案に係る実施形態２のバックホー用削氷機を軌陸両用バックホーに連結した状態を示す平面図である。
【図１０】本考案に係る実施形態２のバックホー用削氷機の側面図である。
【図１１】本考案に係る実施形態２のバックホー用削氷機の平面図である。
【図１２】本考案に係る実施形態２のバックホー用削氷機の正面図である。
【図１３】軌陸両用バックホーに連結した実施形態２のバックホー用削氷機によって軌道上であってマクラギ間の氷を削氷している状態を示す側面図である。
【図１４】軌陸両用バックホーに連結した実施形態２のバックホー用削氷機によって軌道上であってレールの外の氷を削氷している状態を示す平面図である。
【図１５】軌陸両用バックホーに連結した実施形態２のバックホー用削氷機によって軌道上であってレールの外の氷を削氷している状態を示す正面図である。
【考案を実施するための形態】
【００１１】
以下、本考案に係るバックホー用削氷機の実施の形態１，２を、添付図面を参照しながら詳細に説明する。なお、下記に説明する実施形態１，２はあくまで本考案の一例であり、本考案は下記の実施形態１，２に限定されるものではなく、本考案の技術思想の範囲内で適宜変更可能である。
【００１２】
実施の形態１．
実施形態１のバックホー用削氷機１は、図１および図２に示すように、レールＲ上およびレールＲ上以外の陸上も走行可能な軌陸両用バックホー２のアーム２１先端のバックホー側連結機構部２２に着脱可能に連結されて使用されるもので、図３〜図５に示すように、削氷機本体１１と、削氷爪駆動機構部１２とを備える。尚、図１および図２において、符号の３は、軌陸両用バックホー２に連結された発電機、符号のＭはマクラギである。
【００１３】
（削氷機本体１１）
削氷機本体１１は、図３〜図５に示すように、上部に軌陸両用バックホー２のアーム２１先端のバックホー側連結機構部２２が連結する連結バー１１ａ，１１ａが設けられている一方、下部には削氷爪駆動機構部１２が設けられている。
【００１４】
また、削氷機本体１１には、削氷爪駆動機構部１２の複数の削氷爪を駆動するエンジンやモーター等の原動機１１ｂが搭載されている。ここで原動機１１ｂは、モーターを使用しており、発電機３から供給される電流によって回転する。
【００１５】
（削氷爪駆動機構部１２）
削氷爪駆動機構部１２は、削氷機本体１１の下部に設けられ、原動機１１ｂの回転によって複数の削氷爪１２ａを駆動して軌道上および踏切上またはそれら周辺の氷に当てて削氷するもので、原動機１１ｂの回転がギヤやプーリー、ベルト等を介して伝達される駆動歯車１２ｂと、その駆動歯車１２ｂと離されて設置された従動歯車１２ｃと、所定間隔毎に設けられた複数の削氷爪１２ａがエンドレスに駆動するように駆動歯車１２ｂと従動歯車１２ｃとの間に掛け渡された削氷爪保持チェーンベルト１２ｄとを有する。
【００１６】
ここで、複数の削氷爪１２ａは、図５等に示すように、確実に削氷できるよう先端部が斜め下向きに設定しているが、水平方向等に設定しても良い。尚、複数の削氷爪１２ａの傾きや間隔は任意である。
【００１７】
また、削氷爪駆動機構部１２には、削氷爪保持チェーンベルト１２ｄに対し常時一定のテンション（引張力）等がかけることとできるように油圧やスプリングの弾性力等によって駆動歯車１２ｂに対し従動歯車１２ｃが遠ざかるように、常時、例えば従動歯車１２ｃ側を押圧するベルトテンション調整部１２ｅが設けられている。
【００１８】
ここで、削氷爪駆動機構部１２は、図４に示すように、平面視、削氷爪１２ａも含めて、短手方向の幅がＷ１で、長手方向の幅がＷ２であり、実施形態１では、レールＲ上だけでなく、左右のレールＲ，Ｒ間の氷も削氷できるように、短手方向の幅Ｗ１を右のレールＲ，Ｒ間の間隔Ｗ３よりも小さく構成している。
【００１９】
また、図３や図５等に示すように、削氷爪駆動機構部の底面には、原動機１１ｂの回転によって駆動する複数の削氷爪１２ａがレールＲ表面に接触して傷等を付けたり、レールＲと導通しないように絶縁体である合成樹脂板１３がネジ等によって貼り付けて設けられている。
【００２０】
（軌陸両用バックホー２）
軌陸両用バックホー２は、周知のもので、例えば、図１や図２等に示すように、油圧等によってアーム２１を昇降させたり、あるいは回転させたり、さらにはアーム２１を曲げたり伸ばしたりすることができると共に、アーム２１先端のバックホー側連結機構部２２を削氷機本体１１上部の連結バー１１ａ，１１ａに連結するもので、油圧等によってアーム２１を駆動するアーム駆動部２３や、運転席等が設けられた運転ボックス２４と、アーム駆動部２３および運転ボックス２４を搭載して、レールＲ上を走行可能な車輪２５ａと、レールＲがない通常の地面を走行可能なクローラー２５ｂ等を有する軌陸両用車２５等を備える。
【００２１】
そして、軌陸両用バックホー２では、アーム駆動部２３および運転ボックス２４が軌陸両用車２５に対し軌道面ないしは水平面に対し平行である水平方向に３６０度回転可能に構成されていると共に、レールＲ上および通常の地面を走行できるよう車輪２５ａが昇降可能に構成されている。つまり、クローラー２５ｂよりも車輪２５ａを下げることによって車輪２５ａによってレールＲ上を走行できる一方、車輪２５ａよりもクローラー２５ｂを下げてクローラー２５ｂによって通常の地面を走行できるように構成されている。
【００２２】
（実施形態１のバックホー用削氷機１の動作）
次に、以上のように構成された実施形態１のバックホー用削氷機１の動作および効果について説明する。
【００２３】
図６は、実施形態１のバックホー用削氷機１の動作の一例としてレール間およびレールの外側を削氷している状態を示す平面図、図７は、実施形態１のバックホー用削氷機１の動作の他の例として踏切の傾斜面の氷を削氷して状態を示す正面図である。
【００２４】
図６に示すように、実施形態のバックホー用削氷機１は、軌陸両用バックホー２のアーム２１先端に連結され、軌陸両用バックホー２の軌陸両用車２５の車輪２５ａによってレールＲ上を走行しながら、軌陸両用バックホー２のアーム２１を含むアーム駆動部２３および運転ボックス２４を軌陸両用車２５に対し水平方向に最大限３６０度回転させて、実施形態のバックホー用削氷機１によって、レールＲ表面に付着している氷だけでなく、左右のレールＲ，Ｒ間や、レールＲの外側等の軌道上および踏切上、さらにはそれら周辺の氷も削氷することができる。
【００２５】
尚、図６は、軌陸両用バックホー２がレールＲ，Ｒ上を走行しながら軌陸両用バックホー２のアーム２１を３０度回転させて、そのアーム２１先端に取り付けたバックホー用削氷機１の削氷爪駆動機構部１２によってレールＲ上やレールＲ，Ｒ間等の軌道上の氷を削氷している状態を示している。
【００２６】
ここで、レールＲの外側や踏切上またはそれら周辺の氷も削氷する場合、レールＲの外側の軌道面や踏切上またはそれら周辺が傾斜している場合があるため、その場合には、例えば、図７に示すように、軌陸両用バックホー２のアーム２１を操作してアーム２１先端に連結された削氷爪駆動機構部１２底面が斜めになるように傾斜させ、複数の削氷爪１２ａを駆動して削氷する。
【００２７】
（実施形態１のバックホー用削氷機１の効果）
従って、実施形態１のバックホー用削氷機１は、レール上Ｒを走行する軌陸両用バックホー２のアーム２１先端に連結され、複数の削氷爪１２ａを駆動して軌道上および踏切上またはそれら周辺の氷に当てて削氷する削氷爪駆動機構部１２を有するため、レールＲ表面に付着している氷だけでなく、レールＲ間やレールＲの外側等の軌道上および踏切上、さらにはそれら周辺の氷も削氷することできる。
【００２８】
特に、実施形態１のバックホー用削氷機１は、軌陸両用バックホー２の前方に連結され、エンジンまたはモーター等の原動機１１ｂが搭載された削氷機本体１１と、削氷機本体１１に設けられ、原動機１１ｂの回転が伝達するように構成されていると共に、原動機１１ｂの回転によって複数の削氷爪１２ａを駆動して軌道上および踏切上またはそれら周辺の氷に当てて削氷する削氷爪駆動機構部１２とを有し、当該削氷爪駆動機構部１２の平面視の大きさは、少なくとも当該削氷爪駆動機構部１２がレールＲ間の氷を削氷することができるようにレールＲ間に収まる大きさとなるように削氷爪駆動機構部１２の短手方向の幅Ｗ１を右のレールＲ，Ｒ間の間隔Ｗ３よりも小さく構成している。
【００２９】
そのため、実施形態１のバックホー用削氷機１によれば、左右のレールＲ，Ｒ間に削氷爪駆動機構部１２を挿入して、左右のレールＲ，Ｒ間のマクラギＭやバラスト上の氷も確実に削氷することができる。
【００３０】
また、実施形態１のバックホー用削氷機１では、削氷爪駆動機構部１２の底面に原動機１１ｂの回転によって駆動する複数の削氷爪１２ａがレールＲ表面や路盤等に接触して傷等を付けたり、レールＲと導通することがないように絶縁体である合成樹脂板１３が設けられているため、レールＲ表面や路盤等に付着している氷を確実に削氷することができる。
【００３１】
また、実施形態１のバックホー用削氷機１では、削氷爪駆動機構部１２は、原動機１１ｂの回転が伝達される駆動歯車１２ｂと、その駆動歯車１２ｂと離されて設置された従動歯車１２ｃと、所定間隔毎に設けられた複数の削氷爪１２ａがエンドレスに駆動するように駆動歯車１２ｂと従動歯車１２ｃとの間に掛け渡された削氷爪保持チェーンベルト１２ｄとを有し、駆動歯車１２ｂと従動歯車１２ｃとの間の間隔が調整して削氷爪保持チェーンベルト１２ｄに対し常時一定のテンション（引張力）をかけるベルトテンション調整部１２ｅを設けたため、削氷爪保持チェーンベルト１２ｄに保持された複数の削氷爪１２ａを駆動してレールＲ表面に付着している氷だけでなく、レールＲ間やレールＲの外側等の軌道上および踏切上、さらにはそれら周辺の氷を確実に削氷することできる。
【００３２】
実施の形態２．
次に、実施形態２のバックホー用削氷機１’について説明する。実施形態２のバックホー用削氷機１’では、削氷機本体１１’を水平方向に回動可能に構成して、軌陸両用バックホー２のアーム駆動部２３および運転ボックス２４を軌陸両用車２５に対し水平方向に回動させずに、バックホー用削氷機１’自体において削氷爪駆動機構部１２を水平方向に回動可能に構成したものである。
【００３３】
そのため、実施形態２のバックホー用削氷機１’では、上述した実施形態１における軌陸両用バックホー２や、バックホー用削氷機１の削氷爪駆動機構部１２の構成や動作自体はほぼ同じであるため、実施形態１のバックホー用削氷機１と構成が異なる構成や動作等について説明するものとする。
【００３４】
（実施形態２のバックホー用削氷機１’）
実施形態２のバックホー用削氷機１’は、図８および図９に示すように、軌陸両用バックホー２の上部に軌陸両用バックホー２のアーム２１先端に連結される削氷機本体１１’と、削氷機本体１１’の下部に設けられる実施形態１と同様の削氷爪駆動機構部１２とを備える。
【００３５】
（実施形態２の削氷機本体１１’）
実施形態２の削氷機本体１１’は、図１０〜図１２に示すように、軌陸用バックホー２のアーム２１先端のバックホー側連結機構部２２が連結される３本の連結バー１１ａ’が設けられた削氷機側連結機構部１１１’と、原動機１１ｂ’を搭載すると共に削氷爪駆動機構部１２を支持する削氷爪駆動機構支持部１１２’と、削氷機側連結機構部１１１’と削氷爪駆動機構支持部１１２’との間に設けられ、削氷機側連結機構部１１１’に対して削氷爪駆動機構支持部１１２’および削氷爪駆動機構部１２全体を回動させる回動機構部１１３’とを備える。
【００３６】
回動機構部１１３’は、図１０〜図１２に示すように、削氷爪駆動機構支持部１１２’の上部に固定された削氷爪駆動機構首振り用従動ギア１１３ａ’と、削氷機側連結機構部１１１’側に設けられ、削氷爪駆動機構首振り用従動ギア１１３ａ’に咬み合う削氷爪駆動機構首振り用駆動ギア１１３ｂ’と、削氷機側連結機構部１１１’側に設けられ、削氷爪駆動機構首振り用駆動ギア１１３ｂ’を駆動する削氷爪駆動機構首振り用モーター１１３ｃ’を備える。
【００３７】
尚、実施形態２のバックホー用削氷機１’では、削氷爪駆動機構部１２の基本的な構成は、上述したように実施形態１のバックホー用削氷機１と変わらないので、その説明は省略する。ただし、実施形態２のバックホー用削氷機１’では、図３や図４等に示すように駆動歯車１２ｂと従動歯車１２ｃとの中間で削氷機本体１１が削氷爪駆動機構部１２を支持している実施形態１のバックホー用削氷機１とは異なり、図１０および図１１に示すように、削氷機本体１１’は削氷爪駆動機構部１２の駆動歯車１２ｂ側端部を支持するように構成されている、
【００３８】
（実施形態２のバックホー用削氷機１’の効果）
従って、実施形態２のバックホー用削氷機１’によれば、実施形態１のバックホー用削氷機１と同様に複数の削氷爪１２ａを駆動して軌道上および踏切上またはそれら周辺の氷に当てて削氷する削氷爪駆動機構部１２を有するため、レールＲ表面に付着している氷だけでなく、図６や図７に示すように、レールＲ間やレールＲの外側等の軌道上および踏切上、さらにはそれら周辺の氷も削氷することできる等、実施形態１のバックホー用削氷機１と同様の効果が得られる。
【００３９】
さらに、実施形態２のバックホー用削氷機１’の削氷機本体１１’は、図１０〜図１２に示すように、軌陸用バックホー２のアーム２１先端のバックホー側連結機構部２２が連結される削氷機側連結機構部１１１’と削氷爪駆動機構支持部１１２’との間に、削氷機側連結機構部１１１’に対して削氷爪駆動機構支持部１１２’および削氷爪駆動機構部１２全体を回動させる回動機構部１１３’を設けたため、軌陸両用バックホー２のアーム駆動部２３および運転ボックス２４を軌陸両用車２５に対し水平方向に回動させずに、バックホー用削氷機１’自体において削氷爪駆動機構部１２を水平方向に回動することができる。
【００４０】
その結果、実施形態２のバックホー用削氷機１’では、軌陸両用バックホー２のアーム駆動部２３および運転ボックス２４を軌陸両用車２５に対し水平方向に回動させるスペースが確保できないような狭小エリアでも、レールＲ間やレールＲの外側等の軌道上および踏切上、さらにはそれら周辺の氷も削氷したり、さらには図１３〜図１５に示すようにレールＲ，Ｒの下側やマクラギＭ，Ｍ間の氷も容易に削氷できることになり、この点では実施形態１のバックホー用削氷機１よりも操作性および利便性を向上させることができる。
【００４１】
尚、上記実施形態１，２のバックホー用削氷機１，１’では、軌陸両用バックホー２のアーム２１先端に連結して説明したが、本考案では、これに限らず、レールＲ上のみを走行可能な軌道用バックホーでも良いし、あるいは陸上のみを走行可能な通常のバックホーでもどちらでも良い。
【符号の説明】
【００４２】
１，１’  バックホー用削氷機
１１，１１’  削氷機本体
１１ａ，１１ａ  連結バー
１１ｂ  原動機
１１１’  削氷機側連結機構部
１１２’  削氷爪駆動機構支持部
１１３’  回動機構部
１１３ａ’  削氷爪駆動機構首振り用従動ギア
１１３ｂ’  削氷爪駆動機構首振り用駆動ギア
１１３ｃ’  削氷爪駆動機構首振り用モーター
１２  削氷爪駆動機構部
１２ａ  削氷爪
１２ｂ  駆動歯車
１２ｃ  従動歯車
１２ｄ  削氷爪保持チェーンベルト
１２ｅ  ベルトテンション調整部
１３  合成樹脂板（絶縁体）
２  軌陸両用バックホー（バックホー）
２１  アーム
２２  バックホー側連結機構部
２３  アーム駆動部
２４  運転ボックス
２５  軌陸両用車
２５ａ  車輪
２５ｂ  クローラー
３  発電機
Ｒ  レール
Ｍ  マクラギ
【図１】
0003212901.tif 000003
【図２】
0003212901.tif 000004
【図３】
0003212901.tif 000005
【図４】
0003212901.tif 000006
【図５】
0003212901.tif 000007
【図６】
0003212901.tif 000008
【図７】
0003212901.tif 000009
【図８】
0003212901.tif 000010
【図９】
0003212901.tif 000011
【図１０】
0003212901.tif 000012
【図１１】
0003212901.tif 000013
【図１２】
0003212901.tif 000014
【図１３】
0003212901.tif 000015
【図１４】
0003212901.tif 000016
【図１５】
0003212901.tif 000017